(57)【要約】本発明は、容器に関し、さらに詳細には、容器の底部、側部、または容器のキャップに、ユーザが容易に握ることが可能であり、ポケットやリュックサックの紐などに容易に掛け得る環キャリアを備えて、容易に移動及び保管可能にする環掛け型環キャリアを備える容器に関する。このため、本発明は、 環キャリア（１２）を備える容器（Ａ）において、環キャリア（１２）が結合されるキャリア結合部（２１）を備え、上記環キャリア（１２）の一方側には、キャリア結合部（２１）に固定されるための結合部（１３）が形成され、他方側には環孔（１４）が形成されることを特徴とする。【選択図】図１
2012500760.tif 000002
【特許請求の範囲】
【請求項１】
環キャリア（１２）を備える容器（Ａ）において、
前記環キャリア（１２）が結合されるキャリア結合部（２１）を備え、
前記環キャリア（１２）の一方側には、前記キャリア結合部（２１）に固定されるための結合部（１３）が形成され、他方側には環孔（１４）が形成されることを特徴とする環掛け型環キャリアを備える容器。
【請求項２】
前記環孔（１４）はリング状の貫通孔として形成され、
前記環キャリア（１２）は、前記環孔（１４）を形成するように台部（１５）と掛け部（１７）を備え、前記台部（１５）は前記結合部（１３）によってキャリア結合部（２１）と連結され、前記掛け部（１７）は連結部（１６）によって前記台部（１５）と連結され、
前記台部（１５）と前記掛け部（１７）との間に掛け溝（１８）が形成されることを特徴とする請求項１に記載の環掛け型環キャリアを備える容器。
【請求項３】
前記キャリア結合部（２１）及び前記環キャリア（１２）がキャップ（１０）に形成され、
前記キャップ（１０）には前記環キャリア（１２）の下側に切開線が形成されたオープン切開部（２２）が形成され、
前記オープン切開部（２２）の先端側には切開取っ手部（２３）が形成されることを特徴とする請求項１に記載の環掛け型環キャリアを備える容器。
【請求項４】
前記キャリア結合部（２１）及び前記環キャリア（１２）がキャップ（１０）に形成され、
前記キャリア結合部（２１）は、前記環キャリア（１２）が結合されるキャリア結合領域（２４）と、前記キャリア結合領域（２４）の内側に前記キャップ（１０）のボディーから延びて一体に形成される結合内突部（２５）とを備えることを特徴とする請求項１に記載の環掛け型環キャリアを備える容器。
【請求項５】
前記キャリア結合部（２１）及び前記環キャリア（１２）が前記容器（Ａ）の底部または側部に形成され、
前記環キャリア（１２）の端部には係止突起（１９）が形成され、
前記キャリア結合部（２１）の内側には前記係止突起（１９）と当接する防止突起（２６）が形成されることを特徴とする請求項１に記載の環掛け型環キャリアを備える容器。
【発明の詳細な説明】
【技術分野】
【０００１】
本発明は、容器に係り、さらに詳細には、容器の底部、側部、または容器のキャップに、ユーザが容易に握ることが可能であり、ポケットやリュックサックの紐などに容易に掛け得る環キャリアを備えて、容易に移動及び保管可能にする環掛け型環キャリアを備える容器に関する。
【背景技術】
【０００２】
一般的に、容器とは、その内部に内容物を収納することにより他の場所に移動するとか、内容物を所定期間保管するためのものである。
【０００３】
このような容器は、所定量の内容物を収納せねばならないため、内容物を収納する内部空間が必要であり、内容物を収納または取り出すための容器入口を備える。そして、容器に収納された内容物を離脱させないようにキャップが結合される。
【０００４】
このような容器は、さらに多量の内容物を収納するために、所定の体積を有することが求められ、そのため、側方向に所定の幅を有することが求められる。しかし、このように広い幅を有する容器はユーザが握り難いため、容器の首部の直径を小さくするなど、ユーザが容易に握るように、多様なデザインを有する容器が提供されている。ところが、容器のボディーを握るための構造にデザインするとしても、容器のボディーの一部を握るため、冷たい内容物または熱い内容物の場合には、内容物の温度が体温によって変化する恐れがあり、特に、熱い内容物の場合には、ユーザの手をやけどする恐れもある。
さらに、長時間容器を握っている場合には、たとえ容器の首部の直径が小さいとしても握り難いため、手から簡単に滑り落ちる問題点がある。
【発明の概要】
【発明が解決しようとする課題】
【０００５】
前記のような問題点を解決するために、本発明は、容器の底部、側部、または容器のキャップに、ユーザが容易に握ることができ、ポケットやリュックサックの紐などに容易に掛け得る環キャリアを備えて、容易に移動及び保管可能にするところにその目的がある。
【０００６】
また、普段は、環キャリアが容器のキャップまたは容器の一方側に密着し、環キャリアを使用しようとする場合には、容易に環キャリアを広げて利用することにより、最初には容器に環キャリアが固定されているため、箱、ボックスなどに容器を容易に保管可能にするところにその目的がある。
【０００７】
さらに、切開線の形成されたオープン切開部、または係止突起と防止突起などによって、ユーザが所望しない場合には容器から環キャリアが容易に分離されないため、外観が美麗であり、使用しやすくするところにその目的がある。
【課題を解決するための手段】
【０００８】
前記のような目的を達成するための本発明による環掛け型環キャリアを備える容器は、環キャリア１２を備える容器Ａにおいて、前記環キャリア１２が結合されるキャリア結合部２１を備え、前記環キャリア１２の一方側には、前記キャリア結合部２１に固定されるための結合部１３が形成され、他方側には環孔１４が形成され、前記環孔１４はリング状の貫通孔として形成され、前記環キャリア１２は、前記環孔１４を形成するように台部１５と掛け部１７を備え、前記台部１５は前記結合部１３によってキャリア結合部２１と連結され、前記掛け部１７は連結部１６によって前記台部１５と連結され、前記台部１５と前記掛け部１７との間に掛け溝１８が形成されることを特徴とする。
【０００９】
そして、前記キャリア結合部２１及び前記環キャリア１２がキャップ１０に形成され、前記キャップ１０には前記環キャリア１２の下側に切開線が形成されたオープン切開部２２が形成され、前記オープン切開部２２の先端側には切開取っ手部２３が形成されることができる。
【００１０】
また、前記キャリア結合部２１及び前記環キャリア１２がキャップ１０に形成され、前記キャリア結合部２１は、前記環キャリア１２が結合されるキャリア結合領域２４と、前記キャリア結合領域２４の内側に前記キャップ１０のボディーから延びて一体に形成される結合内突部２５とを備えることができる。
【００１１】
さらに、前記キャリア結合部２１及び前記環キャリア１２が前記容器Ａの底部または側部に形成され、前記環キャリア１２の端部には係止突起１９が形成され、前記キャリア結合部２１の内側には前記係止突起１９と当接する防止突起２６が形成されることができる。
【発明の効果】
【００１２】
本発明によれば、容器の底部、側部、または容器のキャップに、ユーザが容易に握ることが可能であり、ポケットやリュックサックの紐などに容易に掛け得る環キャリアを備えて、容易に移動及び保管することができる。
【００１３】
また、普段は、環キャリアが容器のキャップまたは容器の一方側に密着し、環キャリアを使用しようとする場合には、容易に環キャリアを広げて利用することにより、最初には容器に環キャリアが固定されているため、箱、ボックスなどに容器を容易に保管することができる。
【００１４】
さらに、切開線の形成されたオープン切開部、または係止突起と防止突起などによって、ユーザが所望しない場合には容器から環キャリアが容易に分離されないため、外観が美麗であり、便利に使用することができる。
【図面の簡単な説明】
【００１５】
【図１】本発明によるキャップに環キャリアが形成された容器の斜視図である。
【図２】本発明によるキャップに環キャリアが形成された容器において、オープン切開部が切開される状態を示す斜視図である。
【図３】本発明によるキャップに環キャリアが形成された容器において、環キャリアが開放される状態を示す斜視図である。
【図４】本発明によるキャップに環キャリアが形成された容器において、環キャリアが完全に開放された状態を示す斜視図である。
【図５】本発明による容器の底部に環キャリアが形成された容器の斜視図である。
【図６】本発明による容器の底部に環キャリアが形成された容器において、環キャリアが完全に開放された状態を示す斜視図である。
【発明を実施するための形態】
【００１６】
以下、添付図面を参照して本発明を詳細に説明すれば次の通りである。
【００１７】
図１は本発明によるキャップに環キャリアが形成された容器の斜視図であり、図２は本発明によるキャップに環キャリアが形成された容器において、オープン切開部が切開される状態を示す斜視図であり、図３は本発明によるキャップに環キャリアが形成された容器において、環キャリアが開放される状態を示す斜視図であり、図４は本発明によるキャップに環キャリアが形成された容器において、環キャリアが完全に開放された状態を示す斜視図であり、図５は本発明による容器の底部に環キャリアが形成された容器の斜視図であり、図６は本発明による容器の底部に環キャリアが形成された容器において、環キャリアが完全に開放された状態を示す斜視図である。
本発明による環掛け型環キャリアを備える容器Ａは、図１ないし図６に示すように、一方側に環キャリア１２を備える。
【００１８】
すなわち、容器Ａの一方側には、前記環キャリア１２が結合されるためのキャリア結合部２１を備え、図１ないし図４に示すように、容器Ａのキャップ１０にキャリア結合部２１及び環キャリア１２が形成され、図５及び図６に示すように、容器Ａの底部にキャリア結合部２１及び環キャリア１２が形成され、また、図示されてはいないが、容器Ａの側面に形成されることも可能である。
【００１９】
このような前記環キャリア１２の一方側には、前記キャリア結合部２１に固定されるための結合部１３が形成され、結合部１３の他方側には環孔１４が形成される。
【００２０】
したがって、結合部１３によってキャリア結合部２１と連結される環キャリア１２を握って容器Ａを移動させることが可能である。特に、環キャリア１２に形成された貫通孔である環孔１４に棒や飾り棚のフックが掛けられるように形成される。
【００２１】
すなわち、前記環孔１４は、リング状の貫通孔であって、前記環キャリア１２の前記環孔１４が形成されるように台部１５と掛け部１７が形成される。すなわち、このような台部１５と掛け部１７はリング状をしており、図面では、円形のリング状に形成されているが、三角形、四角形、五角形などの多様な形状の多角形のリング状に形成され得るということは言うまでもない。また、台部１５と掛け部１７の内側である環孔１４は円形をなすが、台部１５と掛け部１７の外側は、その水平断面が星状、三角形、四角形、ハート状などの多様な形状を有するように形成されることも可能である。
また、前記台部１５は、前記結合部１３によってキャリア結合部２１と連結され、前記掛け部１７は、連結部１６によって前記台部１５と連結される。
【００２２】
さらに、前記台部１５と前記掛け部１７との間に掛け溝１８が形成され、掛け溝１８にユーザの尻ポケット、リュックサックの紐や環などを結合させることにより、容器Ａを服やリュックサックなどに容易に掛けることができ、また、容器Ａを使用しようとする場合には容易に容器Ａを分離して使用することができる。
【００２３】
このように形成された本発明による容器Ａの環キャリア１２及びキャリア結合部２１は、容器Ａの底部、側部または上部のキャップ１０などに形成されることができる。
【００２４】
したがって、まず、図１ないし図４を参照して、前記キャリア結合部２１及び前記環キャリア１２がキャップ１０に形成される場合を例として説明すれば次の通りである。
【００２５】
すなわち、前記キャップ１０には、前記環キャリア１２の下側に切開線の形成されたオープン切開部２２が形成され、前記オープン切開部２２の先端側には切開取っ手部２３が形成される。
【００２６】
そして、前記キャリア結合部２１は、前記環キャリア１２が結合されるキャリア結合領域２４と、前記キャリア結合領域２４の内側に前記キャップ１０のボディーから延びて一体に形成される結合内突部２５とを備える。
このように環キャリア１２及びキャリア結合部２１が容器Ａのキャップ１０に形成される場合、その使用過程を説明すれば次の通りである。
【００２７】
キャップ１０の上側の内部には、中央にキャリア結合部２１の結合内突部２５が形成され、キャリア結合部２１の結合内突部２５に対して外側に形成される空間領域であるキャリア結合領域２４には環キャリア１２が結合される。
【００２８】
もちろん、このようなキャリア結合部２１の中央に形成される結合内突部２５は、環キャリア１２が装着された状態で揺れることを防止するためのものであり、特別に外力が作用しない場合には、キャリア結合部２１の結合内突部２５は省略されることができる。しかし、本発明では、結合内突部２５が形成されたキャップ１０を示す。
【００２９】
そして、最初の環キャリア１２とキャップ１０のボディーとを連結するオープン切開部２２の切開取っ手部２３を取って外側に引っ張れば、図２に示すように、オープン切開部２２がキャップ１０から分離される。したがって、キャップ１０からオープン切開部２２が完全に分離されれば、図３に示すように、環キャリア１２がキャップ１０に形成されたキャリア結合部２１のキャリア結合領域２４から分離可能な状態になる。
【００３０】
したがって、ユーザは、環キャリア１２の台部１５と掛け部１７、または環孔１４を取って引っ張れば、環キャリア１２とキャリア結合部２１とを連結する結合部１３を中心として環キャリア１２が上側に回転する。
【００３１】
その後、環キャリア１２をさらに回転させれば、台部１５と掛け部１７との間に形成された掛け溝１８がほぼ直立状態になり、このような掛け溝１８にユーザのポケット枠、またはリュックサックのポケット枠や紐などを差し込むことにより、容器Ａを離脱させずに容易に移動させて使用することができる。
【００３２】
前記では、キャップ１０にオープン切開部２２が形成された環キャリア１２を例として挙げたが、オープン切開部２２が形成されず、環キャリア１２が、キャップ１０の一方側に突設された突起（図示せず）によって普段は掛けられた状態にあり、ユーザが使用するために環キャリア１２を引っ張れば、前記突起から環キャリア１２が離脱して使用可能に構成されることもできる。
次いで、前記キャリア結合部２１及び前記環キャリア１２が前記容器Ａの底部に形成される場合を例として説明すれば次の通りである。
【００３３】
すなわち、図５及び図６に示すように、前記環キャリア１２の端部には係止突起１９が形成され、前記キャリア結合部２１の内側には前記係止突起１９と当接する防止突起２６が形成されることができる。もちろん、図示されてはいないが、係止突起１９と防止突起２６が一体に形成されるが、係止突起１９と防止突起２６との間に切開線が形成されて、ユーザが環キャリア１２を引っ張れば、切開線が破裂されつつ分離されるように形成されることができる。
【００３４】
すなわち、ユーザは、キャリア結合部２１に備えられた環キャリア１２を外側に引っ張れば、係止突起１９と防止突起２６が分離されて、図６に示すように、環キャリア１２は結合部１３を中心として回転して、容器Ａに最初に結合された状態で直立方向に向かう。
【００３５】
したがって、ユーザは環キャリア１２の台部１５と掛け部１７との間に形成された掛け溝１８にユーザのポケット枠またはリュックサックのポケット枠や紐などを差し込んで使用することができる。
【００３６】
もちろん、環キャリア１２の台部１５と掛け部１７がリング状に形成されるため、台部１５と掛け部１７によって形成される内部空間である環孔１４に棒、環または指を入れて容器Ａを移動させるか、または棚のフックに掛けて保管することも可能である。
【００３７】
前述のように、本発明の好ましい実施形態を参照して説明したが、当業者によって特許請求の範囲に記載した本発明の思想及び領域から逸脱しない範囲内で本発明を多様に修正または変形して実施することができる。
【符号の説明】
【００３８】
Ａ：容器
１０：キャップ
１２：環キャリア
１３：結合部
１４：環孔
１５：台部
１６：連結部
１７：掛け部
１８：掛け溝
１９：係止突起
２１：キャリア結合部
２２：オープン切開部
２４：キャリア結合領域
２５：結合内突部
【図１】
2012500760.tif 000003
【図２】
2012500760.tif 000004
【図３】
2012500760.tif 000005
【図４】
2012500760.tif 000006
【図５】
2012500760.tif 000007
【図６】
2012500760.tif 000008
【国際調査報告】
2012500760.tif 000009
2012500760.tif 000010
2012500760.tif 000011
2012500760.tif 000012